(57)【要約】      （修正有）【課題】簡単な構造で、且つ少ない加工工数、組付工数により、効率良く防振脚を中空構造板に固定することができる防振脚の固定構造を提供する。【解決手段】中空構造板１０の底面に、弾性を有する防振脚２０を固定する防振脚の固定構造である。中空構造板１０の脚取付位置にスリット状の固定孔１４が板の厚さ方向に穿設される。防振脚２０は、蛇腹本体２１の上部にカップ状の上カバー２２を嵌着して構成される。防振脚２０の上カバー２２の上面に、固定用リブ２３が上向きに突設される。固定用リブ２３が中空構造板１０の固定孔１４に嵌入される。防振脚２０の上カバー２２の上面と中空構造板１０の底面が両面粘着テープ８により接着される。【選択図】図１
2018027811.tif 000002
【特許請求の範囲】
【請求項１】
中空構造板の底面に、弾性を有する防振脚を固定する防振脚の固定構造において、
該中空構造板の脚取付位置にスリット状の固定孔が板の厚さ方向に穿設され、該防振脚は、蛇腹本体の上部にカップ状の上カバーを嵌着して構成され、
該防振脚の該上カバーの上面に固定用リブが上向きに突設され、該固定用リブが該中空構造板の該固定孔に嵌入され、該防振脚の該上カバーの上面と該中空構造板の底面が両面粘着テープにより貼着されたことを特徴とする防振脚の固定構造。
【請求項２】
前記上カバーの固定用リブ及び前記中空構造板の固定孔は、平面視Ｌ字状に曲折して形成されたことを特徴とする請求項１記載の防振脚の固定構造。
【請求項３】
前記中空構造板は、方形に形成されて、荷役用パレットの天板として構成され、該天板の少なくとも四隅の底面に、各々、前記防振脚が固定されたことを特徴とする請求項２記載の防振脚の固定構造。
【請求項４】
前記防振脚の上カバーの固定用リブは、前記中空構造板の天板の底面から上面に貫通し、該固定用リブのリブ上端部が上方に突出することを特徴とする請求項３記載の防振脚の固定構造。
【請求項５】
前記中空構造板の固定孔は、板の底面から板内に、非貫通状態で溝状に形成され、前記防振脚の上カバーの上面に突設した前記固定用リブが、該中空構造板の該固定孔に底面から嵌入されたことを特徴とする請求項１記載の防振脚の固定構造。
【請求項６】
前記中空構造板は、方形に形成されて、簡易ベッド用ベース板として構成され、該ベース板の少なくとも四隅の底面に、各々、前記防振脚が固定されたことを特徴とする請求項１記載の防振脚の固定構造。
【請求項７】
前記中空構造板は、方形に形成されて、該中空構造板を底板とするコンテナボックスの底板として構成され、該コンテナボックスの底板の少なくとも四隅に、各々、前記防振脚が固定されたことを特徴とする請求項１記載の防振脚の固定構造。
【発明の詳細な説明】
【技術分野】
【０００１】
本発明は、防振脚を有する荷役用パレット、簡易ベッド、コンテナボックスなどに使用され、防振脚を中空構造板に固定する防振脚の固定構造に関する。
【背景技術】
【０００２】
例えば、荷役用パレットは、現在、木製パレットが一般的に使用されているが、寿命や耐久性に問題があり、さらに材料として多くの木材を使用するため、地球環境保護の観点などから、プラスチック製の荷役用パレットが、下記特許文献１などにより、提案されている。
【０００３】
この従来の荷役用パレットは、プラスチック製または金属板製の天パネルの底面に、９本の脚部を固定して構成され、各脚部は、直方体ゴムを３層に重ね合わせ、或いはゴム製マット材と発泡プラスチックを３層に重ね合わせて形成され、防振脚とされる。天パネルの周縁部に、縁枠プレームが取り付けられ、９本の脚部は各々、天パネルの底面に、複数のボルトによって締付固定され、さらに、各脚部間に連結プレートを連結し、各脚部の底部には滑止座が取り付けられる。
【０００４】
このため、上記荷役用パレットを製造する場合、天パネル、脚部、滑止座、固定用のボルト、ナットなど、多くの構成部品を用意し、９本の脚部はゴム製マット材及び発泡プラスチックを３層に重ね合わせて形成し、脚部及び天パネルの所定位置にボルト穴を穿設する。パレットの組立工程では、９本の脚部を、ゴム製マット材と発泡プラスチックを３層に重ね合わせ、天パネルの周縁部に縁枠フレームを取り付け、９本の脚部は、ゴム製マット材と発泡プラスチックを３層に重ね合わせた状態で、脚部及び天パネルの所定位置のボルト穴に、固定用のボルトを挿通して、ナットで締付固定することとなる。
【先行技術文献】
【特許文献】
【０００５】
【特許文献１】特開平１１−１８９２４２号公報
【発明の概要】
【発明が解決しようとする課題】
【０００６】
現在、荷役現場において、非常に多くの木製パレットが使用されており、これらの木製パレットを合成樹脂製パレットに順次変更していく場合、上記構造の防振脚を有した荷役用パレットでは、構造が複雑で部品点数が多く、部品の加工工数、組付工数が増大し、パレットの製造コストが非常に高くなる。
【０００７】
このため、防振脚を有した中空構造板の荷役用パレットを製造するに際し、構造が簡単で、部品点数、加工工数、及び組付工数などが少なく、効率良く、安価に量産することができる防振脚の固定技術が要望されていた。
【０００８】
本発明は、上述の課題を解決するものであり、簡単な構造で、且つ少ない加工工数、組付工数により、効率良く防振脚を中空構造板に固定することができる防振脚の固定構造を提供することを目的とする。
【課題を解決するための手段】
【０００９】
本発明に係る防振脚の固定構造は、中空構造板の底面に、弾性を有する防振脚を固定する防振脚の固定構造において、中空構造板の脚取付位置にスリット状の固定孔が板の厚さ方向に穿設され、該防振脚は、蛇腹本体の上部にカップ状の上カバーを嵌着して構成され、該防振脚の該上カバーの上面に固定用リブが上向きに突設され、該固定用リブが該中空構造板の該固定孔に嵌入され、該防振脚の該上カバーの上面と該中空構造板の底面が両面粘着テープにより貼着されたことを特徴とする。
【００１０】
この発明の防振脚の固定構造によれば、両面粘着テープを防振脚の上カバーの上面または中空構造板の底面に貼着し、上カバーの固定用リブをスリット状の固定孔に差し込み且つ押圧するのみで、防振脚を中空構造板に簡単に固定することができ、従来のように、ボルト、ナットを用いて防振脚を中空構造板に締め付け固定する場合に比して、部品点数及び組付工数を削減することができる。また、防振脚が蛇腹本体の上部にカップ状の上カバーを嵌着して構成されるので、中空構造板上に過大な押圧荷重或いは横揺荷重が印加された場合でも、蛇腹本体の過大な変形を抑制し、防振脚の破損を防止することができる。
【００１１】
上記中空構造板と防振脚の上カバーの固定手段は、例えば接着剤或いは熱溶着により接着することも考えられる。しかし、合成樹脂製の中空構造板に防振脚を簡易な接着剤により固定した場合、必要な強度を出すことが難しく、２液混合型の接着剤を使用する場合、その前処理、プライマー処理などの表面処理を含む多くの作業工数と煩雑な管理などが必要となる。また、合成樹脂製の中空構造板に防振脚を、超音波溶着、ホットメルトなどの熱溶着により固着する場合、中空構造板の表面板は非常に薄く、部分的に過度な熱溶融が生じて、穴が開きやすく、必要な強度を安定して出すためには、非常に精密な溶融温度の管理が必要となる。
【００１２】
これに対し、本発明では、上記の如く、両面粘着テープを防振脚の上カバーの上面または中空構造板の底面に貼着し、固定用リブをスリット状の固定孔に差し込み且つ押圧するのみで、非常に簡単に効率良く防振脚を中空構造板に固定することができ、且つ必要十分な強度をもって中空構造板の底面に防振脚を固定することができる。
【００１３】
ここで、上記中空構造板は、例えば合成樹脂製の上板と下板の間に、合成樹脂製の中空コアを挟むように固着して構成され、或いは中空コア、上板、及び下板を、合成樹脂により一体に押し出し成形して形成される。また、中空コアは、ハニカムコア、合成樹脂製段ボールのコルゲートコアとすることができ、或いは一体押出成形の場合、中空コアは、上板と下板間を連結する多数のリブから形成され、仕切板としてコア内に多数の空気セルが形成される。
【００１４】
またここで、上記上カバーの固定用リブ及び上記中空構造板の固定孔は、平面視でＬ字状（Ｖ字状）に曲折した形状とすることが好ましい。これによれば、中空構造板と防振脚間の全横方向に印加される荷重は、平面視でＬ字状の固定用リブによって良好に支持され、固定部の横方向の耐力を大きく向上させることができる。
【００１５】
またここで、上記中空構造板は方形に形成されて、荷役用パレットの天板として形成され、天板の少なくとも四隅の底面に、各々、防振脚が固定された構成とすることができる。これによれば、荷役用パレットを非常に軽量化することができ、蛇腹本体の振動吸収により、輸送中の荷物に加わる振動を、良好に減衰させることができる。
【００１６】
また、上記荷役用パレットにおいて、上記上カバーの固定用リブは、上記中空構造板の天板の底面から上面に貫通し、リブ上端部が上方に突出するように構成することができる。これによれば、荷役用パレットの天板上に突出したリブ上端部は、パレットの天板上に載置する荷物のストッパとして機能し、輸送中の振動や揺動による荷物の移動落下を防止することができる。
【００１７】
またここで、上記中空構造板の固定孔は、板の底面から板内に、非貫通状態で溝状に形成され、上記防振脚の上カバーの上面に、短く突設した固定用リブが中空構造板の固定孔に底面から嵌入される構成とすることができる。この場合、方形の中空構造板を天板とする荷役用パレットなどにおいて、天板は上面に突起物のない通常の天板とすることができる。
【００１８】
また、防振脚の上カバーの上面に、上記リブ上端部を有した固定用リブと上記短く突出した固定用リブの両方を突設し、上記中空構造板には厚さ方向に貫通する固定孔と非貫通状態で溝状の固定孔の両方を穿設することもできる。この場合、短く突出した固定用リブは非貫通状態の固定孔に嵌入され、リブ上端部を有した固定用リブは貫通して固定孔に嵌入されるので、中空構造板と防振脚をより強固に固定することができ、特に固定部の横方向の耐力を、さらに大きく向上させることができる。
【００１９】
また、上記四隅に防振脚を有した中空構造板は簡易ベッド用ベース板として構成することができる。この場合、簡易ベッド用ベース板は、中空構造板及び蛇腹本体を有する防振脚により、非常に軽量に形成されるため、簡単に運搬することができ、非常時などに、ベース板上にマットや布団を敷いて、簡易ベッドとして簡便に使用することができる。また、底部の防振脚が、ベース板上に加わる振動や揺動を柔らかく吸収するため、簡易ベッドを快適に使用することができる。
【００２０】
また、上記四隅に防振脚を有した方形の中空構造板は、コンテナボックスの底板として構成することができ、防振脚を有し中空構造板製のコンテナボックスは、非常に軽量で且つ強固に形成することができ、荷物を収容して、振動の少ない輸送を行うことができる。
【発明の効果】
【００２１】
この発明の防振脚の固定構造によれば、防振脚を中空構造板に対し、最少の部品数で、且つ少ない作業工数で、効率良く固定することができる。
【図面の簡単な説明】
【００２２】
【図１】本発明の一実施形態を示す中空構造板と防振脚の正面図である。
【図２】中空構造板の部分斜視図である。
【図３】防振脚の斜視図である。
【図４】防振脚の分解正面図である。
【図５】防振脚の中央縦断面図である。
【図６】（ａ）は防振脚の上カバーの正面図、（ｂ）はその平面図である。
【図７】中空構造板の底面に防振脚を固定した状態の正面図である。
【図８】中空構造板の底面に防振脚を固定した状態の平面図である。
【図９】他の実施形態の防振脚を示す斜視図である。
【図１０】他の実施形態の防振脚と中空構造板の正面図である。
【図１１】本発明の固定構造を適用した荷役用パレットの斜視図である。
【図１２】本発明の固定構造を適用した簡易ベッド用ベース板の斜視図である。
【図１３】本発明の固定構造を適用したコンテナボックスの斜視図である。
【図１４】他の実施形態の防振脚と中空構造板の正面図である。
【発明を実施するための形態】
【００２３】
以下、本発明の一実施形態を図面に基づいて説明する。図１は、中空構造板１０の所定位置の底面に、防振脚２０を固定する際の正面図を示している。中空構造板１０は、合成樹脂製の上板１２と下板１３の間に、合成樹脂製の中空コア１１を介挿して固着して板状に形成される。
【００２４】
中空構造板１０の中空コア１１は、ハニカムコア、合成樹脂製段ボールのコルゲートコアを用いて、或いは多数のリブを上下のライナー間に、所定間隔で配置して構成され、矩形断面或いは異形断面の空気セルが上下のライナー間に形成されている。中空構造板１０を製造する場合、多数の空気セルを形成するリブとなる中空コア１１を、ライナーとなる上板１２と下板１３間に、介挿して接着して製造することができるが、上板１２、下板１３、及び中空コア１１を、例えばポリプロピレン、ポリカーボネートなどの熱可塑性樹脂により押し出し成形して、中空構造板１０を一体に成形することもできる。
【００２５】
このような中空構造板１０は、内部に多数の空気セルを有した中空板材として形成されるので、軽量で且つ十分な強度を有し、安価に製造することができる。また、ポリプロピレン、ポリカーボネートなどの熱可塑性樹脂からなる中空構造板１０は、リサイクル使用も可能であり、使用後にチップ状にして熱溶融し、再プラスチック材としてリサイクルすることができる。
【００２６】
中空構造板１０の所定位置に、図２に示す如く、防振脚２０を固定するための固定孔１４が、中空構造板１０の厚さ方向に穿設される。固定孔１４は、平面視でＬ字状（Ｖ字状）に、且つスリット状に、板の厚さ方向に貫通して形成される。この固定孔１４の形状は、図３に示すように、防振脚２０の固定用リブ２３の平面形状に対応したものであり、防振脚２０を中空構造板１０の底面に固定する場合、平面をＬ字状に曲折した形状の固定用リブ２３が、中空構造板１０の底面から固定孔１４に、密に嵌入される構造である。
【００２７】
中空構造板１０が、図１１に示すように、例えば荷役用パレット１の天板となる場合、固定孔１４は、長方形の中空構造板１０の四隅に形成される。長方形の中空構造板１０の場合、その四隅に形成される固定孔１４は、その平面形状が、図２に示す如く、９０°（直角）に曲折したスリット状に形成され、直角に交わるスリットの各辺部は、中空構造板１０の長方形の各辺部と平行に形成され、固定孔１４の角部が、中空構造板１０の長方形の角部に向き合うように形成される。
【００２８】
なお、図１１では、中空構造板１０の四隅に形成した固定孔１４に、４本の防振脚２０が嵌入されるが、さらに、中空構造板１０の中心位置、或いは各辺の中間部の底面に防振脚２０を固定することもできる。この場合、防振脚が中空構造板１０の底面に５本或いは９本固定されることとなり、中空構造板１０上に載置される荷物の重量が重い場合でも、防振脚を増やすことにより、安定して支持することができる。この場合、平面をＬ字状に曲折した形状の固定用リブ２３は、四隅の防振脚のみとし、中空構造板１０の中心位置及び各辺の中間部に嵌入される固定用リブは、非貫通状態で中空構造板１０の固定孔に嵌合される。
【００２９】
防振脚２０は、図３、図４に示すように、円筒状で中空の蛇腹部を有した蛇腹本体２１と、蛇腹本体２１の上部に、被せるように嵌着される上カバー２２とから構成される。蛇腹本体２１は、塩化ビニル樹脂などの合成樹脂材料を使用して、ブロー成形、射出成形などにより、底部と上面部を閉鎖した円筒蛇腹状に成形される。蛇腹本体２１の上部には、図４に示す如く、上嵌着部２１ａが形成され、上カバー２２をその上に被せたとき、上嵌着部２１ａが上カバー２２の内側に密に嵌合する。
【００３０】
図５に示すように、合成樹脂製で中空の蛇腹部を有する蛇腹本体２１は、上下に適度な圧縮荷重を印加したとき、縮小する方向に弾性変形し、荷重を除去したとき、元の形状に復帰するように構成される。これにより、蛇腹本体２１に、上下方向或いは横方向に振動を印加したとき、蛇腹本体２１は弾性変形し振動や荷重を吸収する。振動や荷重を印加したときの、蛇腹本体２１の引張圧縮弾性率や曲げ弾性率は、合成樹脂材料の硬さや蛇腹部の厚さにより設定することができ、使用時に防振脚２０にかかる最大荷重に応じて蛇腹本体２１の弾性率を設定することができる。
【００３１】
また、蛇腹の任意の位置の谷部（山部の裏側）に、リブを、間隔をおいて縦方向に設けることによって、蛇腹本体２１の弾性率を高くすることもできる。このような蛇腹の谷部にリブを設けることにより、蛇腹本体２１の制振性能を確保しつつ、蛇腹本体２１の横揺れ防止や復元性を向上させることができる。
【００３２】
図４，５に示すように、蛇腹本体２１の上部の上嵌着部２１ａには、カップ状の上カバー２２が被せられ、嵌着される。上カバー２２は、図６に示す如く、カップを伏せた形状のカバー本体２５を有して、合成樹脂により一体成形される。カバー本体２５の側部に、平面視をＬ字状（Ｖ字状）とする固定用リブ２３が上方に突出して、一体に成形される。円筒状のカバー本体２５はその上面２４を平坦な板状部により閉鎖して構成され、上面２４には、中空構造板１０を固定する際、両面粘着テープ８が貼着される。
【００３３】
上カバー２２を上記蛇腹本体２１の上嵌着部２１ａに被せたとき、図５に示す如く、上嵌着部２１ａが上カバー２２のカバー本体２５内に密に嵌合され、固定される。なお、蛇腹本体２１の上嵌着部２１ａとカバー本体２５間に、両面粘着テープを介在させて嵌着すれば、上カバー２２と蛇腹本体２１とを簡単に且つ強固に接着することができる。
【００３４】
上カバー２２の側部上に突設される固定用リブ２３は、図６に示すように、平面視をＬ字状にして上方に突出して形成される。この固定用リブ２３は、上カバー２２の上面２４上に垂直に延設されるように形成され、図２の如く、上記中空構造板１０に設けた固定孔１４に、下側から嵌入され、中空構造板１０の底面が上面２４に密着するようになっている。
【００３５】
また、上述のように、長方形の中空構造板１０の四隅に、Ｌ字状の曲折したスリット状の固定孔１４が形成され、図２に示す如く、Ｌ字状の角部が長方形の中空構造板１０の角部に向けて形成されるので、四隅の固定孔１４に防振脚２０の固定用リブ２３を挿入して固定した場合、図１１に示す如く、中空構造板１０の四隅に、固定用リブ２３のリブ上端部２３ａが直角の角部を合せて突出することとなる。
【００３６】
これにより、図１１に示す如く、中空構造板１０と防振脚２０により荷役用パレット１を製造する場合、天板となる中空構造板１０の四隅にＬ字状のリブ上端部２３ａが突出する状態となる。このため、荷役用パレット１を使用して、荷物を搬送する場合、荷役用パレット１の中空構造板１０のリブ上端部２３ａは、荷物のストッパとして機能し、天板からの荷物の落下を防止することができる。なお、図１１に示す荷役用パレット１の天板の中空構造板１０は、１枚の単層構造であるが、荷役用パレット１の天板は、強度を増すために、中空構造板１０を複数枚重ね合わせて構成することもできる。
【００３７】
上記構成の防振脚２０を中空構造板１０の底面に固定する場合、図１に示すように、先ず、防振脚２０の上カバー２２の上面２４に、両面粘着テープ８を貼着する。両面粘着テープ８は、テープ状の不織布の両面に、アクリル系粘着剤またはシリコン系粘着剤を付着させ、強力な接着力を有した粘着テープである。
【００３８】
次に、上カバー２２の固定用リブ２３を中空構造板１０の固定孔１４に貫通させるように、中空構造板１０を上カバー２２上に押し付け、上面２４の両面粘着テープ８に中空構造板１０の底面を貼着させ、中空構造板１０を防振脚２０に対し上から押圧する。これにより、図７に示すように、防振脚２０と中空構造板１０の固定が完了する。
【００３９】
従って、両面粘着テープ８の貼着と中空構造板１０の押圧操作のみの、非常に簡単な作業工程により、中空構造板１０の底面に防振脚２０を固定することができる。中空構造板１０の底面に固定された防振脚２０は、その上カバー２２の固定用リブ２３が中空構造板１０の固定孔１４に嵌入され、且つ中空構造板１０の底面が両面粘着テープ８を介して上カバー２２の上面２４に貼着されるので、強固に固定される。
【００４０】
上記中空構造板１０と上記防振脚２０を用いて荷役用パレット１を製造する場合、図１１に示すように、長方形に裁断した中空構造板１０の四隅に、平面Ｌ字状の固定孔１４を、スリット状に穿設し、四隅の固定孔１４に、各々、防振脚２０の上カバー２２の固定用リブ２３を底面側から差し込み、上カバー２２の上面２４を両面粘着テープ８により中空構造板１０の底面に貼着させる。
【００４１】
このとき、図１１に示す如く、防振脚２０の固定用リブ２３のリブ上端部２３ａが中空構造板１０上に突出し、四隅のリブ上端部２３ａはパレット上に載置される荷物のストッパとなる。これにより、搬送中に、パレット上の荷物が揺れや振動により移動して落下する不具合を防止することができる。
【００４２】
なお、荷役用パレット１では、防振脚２０の底部に、１枚の下板を固定することもできる。下板は、天板となる中空構造板１０と同じ中空構造板を用いて長方形に形成され、中空構造板１０と平行位置に、各防振脚２０の蛇腹本体２１の底面に、例えば両面粘着テープを用いて、固着される。また、各防振脚２０の蛇腹本体２１の底部に、上カバー２２と同様の下カバーを、下側から被せ、中空構造板の下板は、それらの下カバーの底面に、固定用リブと固定孔及び両面粘着テープを用いて、固着することでもきる。
【００４３】
上記のような荷役用パレット１の製造工程は、専用の治具を用いて、４本の防振脚２０を所定の位置に立てた状態で保持し、上方から中空構造板１０を押し下げ、四隅の固定用リブ２３を、中空構造板１０の四隅の固定孔１４に嵌入させるのみの非常に簡単な作業で、防振型の荷役用パレット１を製造することができる。この荷役用パレット１は、軽量の中空構造板１０と中空の蛇腹本体２１を有する防振脚２０のみから構成されるので、木製パレットなどに比して非常に軽量に形成され、且つ優れた防振機能を有しているため、振動を嫌う電子部品などの搬送に、当該荷役用パレット１は簡便に使用することができる。
【００４４】
図９、図１０は防振脚の固定構造の他の実施形態を示している。この例の防振脚２０では、側部の固定用リブ２３とともに、別の固定用リブ２６が上カバー２２の上面２４に突設される。この固定用リブ２６は、高さの比較的低い直方体状に形成され、図１０に示すように、中空構造板１０の底面の対応位置に、スリット溝状の固定孔１９が形成される。
【００４５】
防振脚２０を中空構造板１０に固定する場合、図１０に示すように、固定用リブ２６を固定孔１９に嵌入させる。この固定用リブ２６の高さは、中空構造板１０の厚さより低く設定され、固定用リブ２６が中空構造板１０の上方に貫通しないように、固定孔１９は中空構造板１０を貫通せず、固定用リブ２６は中空構造板１０内のみで嵌合される。
【００４６】
図１０に示すように、防振脚２０を中空構造板１０の底面に固定する場合、上記と同様に、先ず、防振脚２０の上カバー２２の上面２４に、両面粘着テープ８を貼着する。次に、上カバー２２の固定用リブ２３を中空構造板１０の固定孔１４に貫通させ、且つ上面２４の固定用リブ２６を固定孔１９に嵌入させるように、中空構造板１０を上カバー２２上に押し付け、上面２４の両面粘着テープ８に中空構造板１０の底面を貼着させる。これにより、図１０に示す如く、防振脚２０の上面２４の固定用リブ２６が中空構造板１０の固定孔１９に嵌合され、且つ側部の固定用リブ２３が中空構造板１０の固定孔１４に貫通するので、より強固に防振脚２０を中空構造板１０に固定することができる。
【００４７】
このように、本固定構造によれば、両面粘着テープ８を防振脚２０の上カバー２２の上面または中空構造板１０の底面に貼着し、上カバー２２の固定用リブ２３をスリット状の固定孔１４に差し込み、固定用リブ２６を固定孔１９に嵌入させ、且つ押圧するのみで、防振脚２０を中空構造板１０に固定することができるので、従来のように、ボルト、ナットを用いて防振脚を中空構造板に締め付け固定する場合に比して、部品点数及び組付工数を削減することができる。
【００４８】
また、防振脚２０が蛇腹本体２１の上部にカップ状の上カバー２２を嵌着して構成されるので、中空構造板１０に加わる振動を防振脚２０によって抑制できるとともに、中空構造板１０上に過大な押圧荷重或いは横揺荷重が印加された場合でも、蛇腹本体２１の過大な変形を抑制し、防振脚２０の破損を防止することができる。
【００４９】
図１２は、上記構成の防振脚の固定構造を用いて、簡易ベッド用ベース板６を製造する例を示している。上記実施形態と同じ構造の部位については、上記と同じ符号を図面に付して、その説明は省略する。ここで使用される防振脚３０は、上記蛇腹本体２１の上部に、カップ状の上カバー３２を嵌着して構成され、上カバー３２の平坦な上面３４に、高さの低い固定用リブ３６のみが突設される。この上カバー３２には、上記のような側部上に突設した固定用リブ２３は、設けられていない。
【００５０】
一方、中空構造板１０は、簡易ベッドのベース板に適した大きさで、長方形状に裁断され、中空構造板１０の底面の四隅及び長辺部の中間部に、防振脚３０を固定するための固定孔が穿設される。これらの固定孔は、底面から内側に非貫通状態で溝状に形成され、固定孔内に上記防振脚３０の固定用リブ３６が嵌入可能に形成される。
【００５１】
防振脚３０を中空構造板１０の底面に固定して、簡易ベッド用ベース板６を製造する場合、先ず、６本の防振脚３０の上カバー３２の上面に、両面粘着テープ８を貼着する。次に、上カバー３２の固定用リブ３６を中空構造板１０の底面の固定孔に嵌入させながら、中空構造板１０を上カバー３２上に押し付け、中空構造板１０の底面を上カバー３２上の両面粘着テープ８に貼着させる。
【００５２】
これにより、図１２に示す如く、簡易ベッドのベース板となる中空構造板１０の底面に、６本の防振脚３０が、上面の固定用リブ３６を中空構造板１０の固定孔に嵌合させるとともに、両面粘着テープ８により、固定される。このような簡易ベッド用ベース板６は、上記のように、非常に少ない部品点数で且つ簡単に製造することができ、安価に量産することができる。また、中空構造板１０と中空の蛇腹本体２１を有する防振脚３０は非常に軽量に形成されるので、運搬や移動を容易に行うことができ、災害非常時などに有用である。
【００５３】
図１３は、上記構成の防振脚の固定構造を用いて、コンテナボックス５を製造する例を示している。上記実施形態と同じ構造の部位については、上記と同じ符号を図面に付して、その説明は省略する。防振脚３０は、上記と同様、蛇腹本体２１の上部に、カップ状の上カバー３２を嵌着して構成され、上カバー３２の平坦な上面３４に、高さの低い固定用リブ３６のみが突設される。
【００５４】
一方、コンテナボックス５の底板及び周囲の側壁は、中空構造板１０から構成され、中空構造板１０により箱型に形成される。底板となる中空構造板１０の底面の四隅に、防振脚３０を固定するためのスリット状の固定孔が穿設される。これらの固定孔は、底面から内側に非貫通状態で溝状に形成され、固定孔内に上記防振脚３０の固定用リブ３６が嵌入可能に形成される。
【００５５】
防振脚３０を中空構造板１０の底面に固定して、コンテナボックス５を製造する場合、先ず、４本の防振脚３０の上カバー３２の上面に、両面粘着テープ８を貼着する。次に、上カバー３２の固定用リブ３６を中空構造板１０の底面の固定孔に嵌入させながら、中空構造板１０を上カバー３２上に押し付け、中空構造板１０の底面を上カバー３２上の両面粘着テープ８に接着させる。
【００５６】
これにより、図１３に示す如く、コンテナボックス５の中空構造板１０の底面の四隅に、防振脚３０が、上面の固定用リブ３６を中空構造板１０の固定孔に嵌合させ、両面粘着テープ８により、固定される。このようなコンテナボックス５は、非常に少ない部品点数で且つ簡単に製造することができ、安価に量産することができる。また、中空構造板１０と中空の蛇腹本体２１を有する防振脚３０は非常に軽量に形成されるので、荷物などをボックス内に入れて、容易に搬送することができ、さらに、防振脚３０によって搬送中の荷物に加わる振動を抑制することができる。
【００５７】
なお、上記荷役用パレット１、コンテナボックス５、簡易ベッド用ベース板６において、図１４に示すように、中空構造板１０と防振脚２０の固定は、２本あるいはそれ以上の固定用リブ３６を、固定孔１９に嵌入して行うこともできる。この場合、中空構造板１０の底面所定位置に、非貫通形の２個の固定孔１９を穿設し、防振脚２０の上カバー３２の上面の対応位置に、２本の固定用リブ３６を突設し、防振脚２０の上カバー３２の上面に両面粘着テープ８を接着した状態で、中空構造板１０の底面の固定孔１９に２本の固定用リブ３６を嵌入して中空構造板１０の底部に防振脚２０を固定する。これにより、防振脚２０は、中空構造板１０に対し、より高い強度で固定され、横揺れなどに対する耐力を増大させることができる。
【符号の説明】
【００５８】
１      荷役用パレット
５      コンテナボックス
６      簡易ベッド用ベース板
８      両面粘着テープ
１０    中空構造板
１１    中空コア
１２    上板
１３    下板
１４    固定孔
１９    固定孔
２０    防振脚
２１    蛇腹本体
２１ａ  上嵌着部
２２    上カバー
２３    固定用リブ
２３ａ  リブ上端部
２４    上面
２５    カバー本体
２６    固定用リブ
３０    防振脚
３２    上カバー
３４    上面
３６    固定用リブ
【図１】
2018027811.tif 000003
【図２】
2018027811.tif 000004
【図３】
2018027811.tif 000005
【図４】
2018027811.tif 000006
【図５】
2018027811.tif 000007
【図６】
2018027811.tif 000008
【図７】
2018027811.tif 000009
【図８】
2018027811.tif 000010
【図９】
2018027811.tif 000011
【図１０】
2018027811.tif 000012
【図１１】
2018027811.tif 000013
【図１２】
2018027811.tif 000014
【図１３】
2018027811.tif 000015
【図１４】
2018027811.tif 000016